(57)【要約】      （修正有）【課題】ユーザーの好みの姿勢の状態で使用する空気調和機のリモートコントローラを提供する。【解決手段】空気調和機を遠隔操作するためのリモートコントローラ１０において、表示部を備えた前面と、前面に対し鋭角に傾斜した第１の傾斜面２１とを備え、空気調和機と信号を受送信する受送信部５４、５３を、前面と、前面と第１の傾斜面２１との交差部とにそれぞれ設けることで、リモートコントローラ１０は、様々な姿勢で使用されても、空気調和機に操作信号を確実に受送信できる。【選択図】図３
2015055423.tif 000002
【特許請求の範囲】
【請求項１】
表示部を備えた前面と、前記前面に対し鋭角に傾斜した背面とを備え、空気調和機と信号を受送信する受送信部が、前記前面と、前記前面と前記背面との交差部とに設けられたことを特徴とした空気調和機用リモートコントローラ。
【請求項２】
前記前面と前記背面とに対し傾斜した支持面を有する支持部を備えたことを特徴とする請求項１に記載の空気調和機用リモートコントローラ。
【請求項３】
前記前面の一端に受送信部がさらに設けられたことを特徴とする請求項１に記載の空気調和機用リモートコントローラ。
【請求項４】
請求項１から３のいずれか一項に記載の空気調和機用リモートコントローラを備える空気調和機。
【発明の詳細な説明】
【技術分野】
【０００１】
本発明は、空気調和機を遠隔操作するための空気調和機用のリモートコントローラおよびリモートコントローラを備える空気調和機に関する。
【背景技術】
【０００２】
従来より、空気調和機を遠隔操作するために、空気調和機に向かって無線の操作信号を出力するリモートコントローラが使用されている。例えば、特許文献１に記載された空気調和機のリモートコントローラは、温度、風向、風量等の情報を含む画像を表示するための表示画面を有する。
【先行技術文献】
【特許文献】
【０００３】
【特許文献１】特開２０１１−３３２８５号公報
【発明の概要】
【発明が解決しようとする課題】
【０００４】
ところで、特許文献１に記載された空気調和機のリモートコントローラのように、多くの空気調和機のリモートコントローラは、その本体の長手方向を鉛直方向（上下方向）におおよそ合わせた状態で使用することを前提とする。例えば、本体の長手方向が上下方向におおよそ一致するように、ユーザーがリモートコントローラを保持したときに或いはリモートコントローラが壁面に取り付けられたときに、表示画面に表示された画像の天地方向が本体の長手方向に一致するように構成されている。したがって、リモートコントローラをユーザーが好む姿勢の状態で使用することが制限される。
【０００５】
そこで、本発明は、ユーザーが、空気調和機のリモートコントローラをユーザーが好む姿勢の状態で使用することができるようにすることを課題とする。
【課題を解決するための手段】
【０００６】
上述の課題を解決するために、本発明のリモートコントローラは、表示部を備えた前面と、前記前面に対し鋭角に傾斜した背面とを備え、空気調和機と信号を受送信する受送信部が、前記前面と、前記前面と前記背面との交差部とに設けられたものである。
【発明の効果】
【０００７】
本発明によれば、ユーザーは、空気調和機のリモートコントローラをユーザーが好む姿勢の状態で使用することができる。
【図面の簡単な説明】
【０００８】
【図１】本発明の実施の形態１における空気調和機とリモートコントローラとを示す図
【図２】同実施の形態におけるリモートコントローラ（カバーが開いた状態）の正面図
【図３】（ａ）同実施の形態におけるリモートコントローラ（カバーが閉じた状態）の正面図及び（ｂ）上側面図、（ｃ）左側面図
【図４】同実施の形態におけるリモートコントローラの制御系を示すブロック図
【図５】同実施の形態におけるリモートコントローラの横置き状態を説明する側面図
【図６】同実施の形態における受送信部の詳細図
【図７】同実施の形態における電池収納部の詳細図
【発明を実施するための形態】
【０００９】
第１の発明は、表示部を備えた前面と、前記前面に対し鋭角に傾斜した背面とを備え、空気調和機と信号を受送信する受送信部が、前記前面と、前記前面と前記背面との交差部とに設けられたものであり、これによれば、リモートコントローラの前面側と背面側のいずれに空気調和機が位置していても、確実に空気調和機と受送信を行うことができる。
【００１０】
第２の発明は、第１の発明において、前記前面と前記背面とに対し傾斜した支持面を有する支持部を備えたものであり、これによれば、本体を自立させることができ、ユーザーは、リモートコントローラを様々な姿勢で使用することができる。
【００１１】
第３の発明は、第１の発明において、前記前面の一端に受送信部がさらに設けられたものであり、これによれば、本体を保持した状態や、空室内の壁面に取り付けられた状態でも、確実に空気調和機と受送信を行うことができる。
【００１２】
第４の発明は、第１〜３のいずれか１つの発明の空気調和機用リモートコントローラを備える空気調和機であり、これによれば、ユーザーは、空気調和機のリモートコントローラをユーザーが好む姿勢の状態で使用することができる。
【００１３】
以下、本発明の実施の形態について、図面を参照しながら説明する。なお、この実施の形態によって本発明が限定されるものではない。
【００１４】
（実施の形態１）
図１は、本発明の一実施の形態に係る空気調和機およびその空気調和機を遠隔操作するためのリモートコントローラを概略的に示している。
【００１５】
本実施の形態のリモートコントローラ１０および空気調和機１００は、無線信号Ｓをやりとりするように構成されている。例えば、空気調和機１００を操作するための操作信号がリモートコントローラ１０から空気調和機１００に出力される。また、例えば、空気調和機１００の現在の運転状況（例えば、送風温度、風向、風量）の情報が空気調和機１００からリモートコントローラ１０に出力される。
【００１６】
図２および図３は、リモートコントローラ１０の正面図である。詳細は後述するが、図２は、カバーが開いた状態のリモートコントローラ１０を示している。一方、図３（ａ）は、カバーが閉じた状態のリモートコントローラ１０を示している。また、図３（ｂ）はリモートコントローラ１０の上側面図であり、図３（ｃ）は左側面図である。
【００１７】
図２および図３に示すように、リモートコントローラ１０は、長手方向（Ｙ軸方向）と短手方向（Ｘ軸方向）とを有する本体１２を備える。リモートコントローラ１０はまた、空気調和機１００の遠隔操作に関する情報、例えば、室内温度、風量、風向などの情報を画像として表示するための表示部１４（例えば液晶ディスプレイ）を有する。画像を表示する表示部１４の表示画面１４ａは、本体１２の前面２０の長手方向（Ｙ軸方向）の一端側に設けられている。
【００１８】
また、リモートコントローラ１０の本体１２には、空気調和機１００をユーザーが遠隔操作するための操作部１６が設けられている。操作部１６は、本体１２の前面２０のうち、表示部１４が設けられた一端と反対側の他端側に設けられている。
【００１９】
操作部１６は、複数の操作ボタン１６ａ〜１６ｐによって構成されている。操作部１６の一部の操作ボタン１６ａ〜１６ｉは、カバー１８によって開閉可能に覆われている。一
方、残りの操作ボタン１６ｋ〜１６ｐは、カバー１８上に設けられている。なお、カバー１８は、閉じた状態のとき、本体１２の前面２０の一部を構成する。またカバー１８は、Ｘ軸方向に延在する旋回中心線を中心として旋回することにより、開閉するように構成されている。
【００２０】
図２に示すように、カバー１８が開いた状態のとき、操作部１６の一部の操作ボタン１６ａ〜１６ｉは使用可能にされる。一方、図３に示すように、カバーが閉じた状態のとき、残りの操作ボタン１６ｋ〜１６ｐが使用可能にされる。なお、カバー１８によって覆われる操作ボタン１６ａ〜１６ｉは、例えば、空気調和機１００の運転モードを切り換える（例えば冷房または暖房に切り換える）とき、空気調和機の運転内容の詳細を設定するときなど、空気調和機１００を複雑に操作するときに使用されるボタンである。一方、カバー１８に設けられている操作ボタン１６ｋ〜１６ｐは、空気調和機１００の作動を開始するまたは停止するとき、室内温度を調節するときなど、簡便に操作するときに使用されるボタンである。
【００２１】
図４は、リモートコントローラ１０の制御系を示すブロック図である。リモートコントローラ１０は、本体１２の姿勢を検出する本体姿勢検出部５０と、赤外線などにより空気調和機１００との間で操作信号を送信、受信するための第１〜第３の受送信部５３〜５５と、制御部６０とを有する。
【００２２】
リモートコントローラ１０の制御部６０は、操作部１６に対するユーザーの操作と、本体姿勢検出部５０の検出結果とに基づいて、第１〜第３の受送信部５３〜５５と、表示部１４とを制御するように構成されている。
【００２３】
図２および図３に示すように、表示部１４の表示画面１４ａは、長方形状であって、長手方向（Ｙ軸方向）と短手方向（Ｘ軸方向）とを有する。表示部１４は、その表示画面１４ａの長手方向が本体１２の長手方向と一致するように且つ表示画面１４ａの短手方向が本体１２の短手方向と一致するように、本体１２に設けられている。
【００２４】
なお、本体姿勢検出部５０の検出結果に関わらず、つまり、本体１２の長手方向（Ｙ軸方向）が鉛直方向に一致するように本体１２の姿勢が変化した場合（簡単に言えば、本体１２が縦に立てられた場合）であっても、本体１２の短手方向（Ｘ軸方向）が鉛直方向に一致するように本体１２の姿勢が変化した場合（簡単に言えば、本体１２が横に寝かされた場合）であっても、制御部６０は、表示画面１４ａ上の文字や絵を含む画像の天地方向Ａが本体１２の長手方向と一致するように表示部１４を制御する。
【００２５】
これは、操作部１６の一部の操作ボタン１６ａ〜１６ｇやそれらの脇に記載された説明文字や図柄が、本体１２の長手方向に天地方向が一致するように描かれていることに対応するためである。
【００２６】
図３に示すように、リモートコントローラ１０の本体１２は、本体１２の背面（前面２０と対向する本体１２の表面）は、第１の傾斜面２１と第２の傾斜面２２とを備えている。第１の傾斜面２１は第２の傾斜面２２は、それぞれ、前面２０に対して鋭角に傾斜するように構成されているが、前面２０の方向に向かうにしたがって、傾斜が緩くなり、前面２０と連続的につながっている。
【００２７】
第１の傾斜面２１と第２の傾斜面２２とは、本体１２の長手方向（Ｙ軸方向）を中心軸として対称となるように設けられている。そして、第１の傾斜面２１と第２の傾斜面２２とが交差する部分の略中央部には、電池収納部７０が設けられている。
【００２８】
第１の受送信部５３は、本体１２の長手方向（Ｙ軸方向）の一端であって、表示部１４が設けられた側（以下、こちら側を本体１２の上部と呼ぶ）に設けられている。
【００２９】
第２の受送信部５４は、前面２０の略中央部、つまり、表示部１４とカバー１８が設けられた部分の間であって、操作ボタン１６ｈの側方に設けられている。
【００３０】
第３の受送信部５５は、前面２０と第１の傾斜面２１とが交差する部分の本体１２の長手方向（Ｙ軸方向）の略中央部に、第１の傾斜面２１から突出するように設けられている。
【００３１】
また、第１の傾斜面２１と第２の傾斜面２２とが交差する部分には、本体１２の短手方向（Ｘ軸方向）が鉛直方向に一致するように（簡単に言えば、本体１２を横置きした状態）で本体１２を自立させるための支持部３０を備えている。
【００３２】
支持部３０は、図３（ｂ）に示すようにリモートコントローラ１０を長手方向（Ｙ軸方向）に見た場合、略直角三角形状の突起部であって、略直交し合う支持面３０ａ、３０ｂを有する。そして、支持面３０ｂより長い辺を有する支持面３０ａは、第１の傾斜面２１に対して傾斜するように構成されている。また、支持面３０ａの傾斜角度は、第２の傾斜面２２の主要部の角度と一致しており、第２の傾斜面２２の主要部が一部延長されたように構成されている。
【００３３】
支持部３０は、図３（ｃ）に示すようにリモートコントローラ１０を長手方向（Ｙ軸方向）の表示部１４が設けられた側、つまり、本体１２の上部側にのみ設けられている。
【００３４】
なお、支持部３０の形状は、略直角三角形状の突起部に限らない。本体１２を横置きした状態で本体１２を自立させることができれば、他の形状の突起部で支持部３０は構成されてもよい。また、本体１２の背面側より内側に収容可能に支持部３０を構成してもよい。
【００３５】
このような構成により、ユーザーは、リモートコントローラ１０を様々な姿勢で使用することができる。
【００３６】
なお、支持部３０が無くても、第１の傾斜面２１と第２の傾斜面２２を有することでリモートコントローラ１０を横置きにして使用することも可能である。
【００３７】
例えば、ユーザーは、その手で本体１２の長手方向（Ｙ軸方向）がおおよそ鉛直方向に一致するようにリモートコントローラ１０を保持した状態で、リモートコントローラ１０を快適に使用することができる。
【００３８】
この際、第１の傾斜面２１と第２の傾斜面２２とは本体１２の長手方向（Ｙ軸方向）を中心軸として対称となるように設けられているので、本体１２の下部側（カバー１８付近）を握って保持することが容易である。
【００３９】
また、支持部３０は、本体１２の上部側にのみ設けられているために、ユーザーが本体１２の下部側を握って保持する場合でも、支持部３０が手に触れることがなく、快適に本体１２を握ることができる。
【００４０】
さらに、第１の傾斜面２１と第２の傾斜面２２とが交差する部分の略中央部に、電池収納部７０が設けられているため、重量物である電池が本体１２の背面側の中央部に位置することとなり、本体１２の重心が安定し、ユーザーが本体１２の下部側を握って保持して
も本体１２の姿勢が安定する。
【００４１】
また、例えば、リモートコントローラ１０を、その本体１２の長手方向（Ｙ軸方向）が鉛直方向に一致する状態で空気調和機１００が設けられた室内の壁面に取り付けて使用することができる。
【００４２】
さらに、図５に示すように、支持部３０の支持面３０ａを例えばテーブルなどの平面上に接地させることで、ユーザーは、リモートコントローラ１０を保持することなく、例えばテーブルなどの平面上に自立させた状態で、すなわち横置き状態で使用することができる。
【００４３】
そして、リモートコントローラ１０は、様々な姿勢で使用されても、空気調和機１００と操作信号（赤外線信号）を確実に受送信できるように、複数の受送信部５３〜５５を備えている。
【００４４】
ユーザーは、その手で本体１２の長手方向（Ｙ軸方向）がおおよそ鉛直方向に一致するようにリモートコントローラ１０を保持した状態や、空室内の壁面に取り付けられた状態で使用する場合は、本体１２の長手方向の一方の端部に設けられた第１の受送信部５３が、実質的に空気調和機１００との赤外線の受送信を行う。
【００４５】
一方、図５に示すように、横置き状態でリモートコントローラ１０を使用する場合には、第２の受送信部５４と第３の受送信部５５とが、実質的に空気調和機１００との赤外線の受送信を行う。
【００４６】
第２の受送信部５４は、表示部１４が設けられた前面２０に設けられており、図５中に示す領域Ａ１の範囲で受送信することができる。このため、表示部１４に対面して操作するユーザーの背後に空気調和機１００が存在する場合であっても、第２の受送信部５４により、確実に赤外線信号（操作信号）を空気調和機１００と受送信することができる。
【００４７】
また、第３の受送信部５５は、前面２０と第１の傾斜面２１とが交差部に設けられており、図５中に示す領域Ａ２の範囲で受送信することができる。このため、表示部１４に対面して操作するユーザーの前方に空気調和機１００が存在する場合であっても、第３の受送信部５５により、確実に赤外線信号（操作信号）を空気調和機１００と受送信することができる。
【００４８】
特に、第３の受送信部５５は、第１の傾斜面２１から突出するように設けられているために、図５に示すように横置きした場合であっても、図５の状態から前面２０が垂直となる方向にユーザーが本体１２を起こして操作した場合であっても、確実に赤外線信号（操作信号）を空気調和機１００と受送信することができる。
【００４９】
リモートコントローラ１０の制御部６０は、本体姿勢検出部５０によって検出された本体１２の姿勢に基づいて、第１の受送信部５３、第２の受送信部５４、第３の受送信部５５のいずれかを、空気調和機１００に操作信号として赤外線信号を受送信するために選択するように構成されている。すなわち、制御部６０は、第１の受送信部５３、第２の受送信部５４、第３の受送信部５５のいずれかを選択する発光部選択部として機能する。
【００５０】
本体１２の長手方向（Ｙ軸方向）がおおよそ鉛直方向に一致するような姿勢が本体姿勢検出部５０によって検出されている場合、リモートコントローラ１０の制御部６０は、本体１２の長手方向に赤外線を出力する第１の受送信部５３を用いて空気調和機１００と赤外線信号（操作信号）を受送信する。一方、本体１２の短手方向（Ｘ軸方向）がおおよそ
鉛直方向に一致するような姿勢が本体姿勢検出部５０によって検出されている場合、制御部６０は、本体１２の短手方向に赤外線を出力する第２の受送信部５４と第３の受送信部５５とを用いて空気調和機１００と赤外線信号（操作信号）を受送信する。
【００５１】
これにより、リモートコントローラ１０が様々の姿勢で使用されても、受送信部が１つしか設けられていない場合に比べて、確実に赤外線信号（操作信号）を空気調和機１００と受送信することができる。また、これにより、空気調和機１００がリモートコントローラ１０からの赤外線信号を受信できるまで何度も赤外線信号を出力することが抑制され、その結果としてリモートコントローラ１０の電力の消費（リモートコントローラ１０を作動させるための電池の消耗）を抑制することができる。
【００５２】
なお、第１の受送信部５３、第２の受送信部５４、第３の受送信部５５のいずれかを使用するのではなく、すべてを空気調和機１００と赤外線信号（操作信号）を受送信するために同時に使用してもよい。
【００５３】
図６（ａ）、（ｂ）、（ｃ）は、それぞれ、第１の受送信部５３、第２の受送信部５４、第３の受送信部５５の詳細図である。
【００５４】
図６に示すように、受送信部５３〜５５はそれぞれ、受信部５３ａ〜５５ａ、送信部５３ｂ〜５５ｂを備えている。第１の受送信部５３の受信部５３ａは、本体１２の長手方向（Ｙ軸方向）に向けて設けられている。
【００５５】
第１の受送信部５３の送信部５３ｂは、本体１２の長手方向（Ｙ軸方向）から、前面２０側に傾斜して設けられている。
【００５６】
このため、本体１２の長手方向（Ｙ軸方向）がおおよそ鉛直方向に一致するような姿勢で使用する場合では、通常、リモートコントローラ１０より上方に設置された空気調和機１００に対して、より確実に赤外線信号（操作信号）を送信することができる。また、本体１２の短手方向（Ｘ軸方向）がおおよそ鉛直方向に一致するような姿勢で使用する場合では、本体１２の前面２０に向かって左側の領域に設置された空気調和機１００に対しても、より確実に赤外線信号（操作信号）に送信することができる。
【００５７】
また、第２の受送信部５４の受信部５４ａは、本体１２の前面２０の垂直方向（Ｚ軸方向）から、第３の受送信部５５が設けられた側へ傾斜して設けられている。
【００５８】
このため、本体１２の短手方向（Ｘ軸方向）がおおよそ鉛直方向に一致するような姿勢で使用する場合でも、通常、リモートコントローラ１０より上方に設置された空気調和機１００に対して、より確実に赤外線信号（操作信号）を受信することができる。
【００５９】
第２の受送信部５４の送信部５４ｂは、本体１２の前面２０の垂直方向（Ｚ軸方向）から、本体１２の下方側に傾斜して設けられている。
【００６０】
このため、本体１２の短手方向（Ｘ軸方向）がおおよそ鉛直方向に一致するような姿勢で使用する場合では、本体１２の前面２０に向かって右側の領域に設置された空気調和機１００に対しても、より確実に赤外線信号（操作信号）に送信することができる。
【００６１】
第３の受送信部５５の受信部５４ａと送信部５４ｂは、本体１２の前面２０の水平方向（Ｘ軸方向）に向けて設けられている。
【００６２】
以上のように、受送信部５３〜５５は、他の二つの受送信部の検知範囲外をカバーする
様に設けられているため、三つの受送信部で過不足なく空間をカバーして受送信が可能となる。
【００６３】
図７は、電池収納部７０の詳細図である。図７に示すように、電池収納部７０は、電池収納扉７０ａと電池収納凹部とから構成されている。電池収納扉７０ａは電池収納凹部７０ｂを覆うカバーであり、電池収納凹部７０ｂは、電池を収納するためにケースである。電池収納部７０の一端には、支持部３０が設けられている。このため、電池収納部７０に収納された電池（図示せず）の荷重が、支持部３０にかかり、本体１２を横置きした場合でも本体１２の姿勢が安定する。
【００６４】
なお、本実施の形態では、第１の傾斜面２１と第２の傾斜面２２とが交差する部分の略中央部に、電池収納部７０が設けられているため、重量物である電池が本体１２の背面側の中央部に位置することとなり、より本体１２の姿勢が安定する。
【００６５】
また、電池収納凹部７０ｂは２つの凹部に分割して設けられている。このため、それぞれの凹部が電池を単独で保持するため、電池の保持力を確保できる。
【００６６】
以上、本実施の形態によれば、ユーザーは、空気調和機１００のリモートコントローラ１０をユーザーが好む姿勢の状態で使用することができる。
【００６７】
例えば、図２および図３に示すように、カバー１８は、Ｘ軸方向に延在する旋回中心線を中心として旋回するように構成されているが、これに限らない。例えば、カバー１８はスライド（平行移動）することによって開閉するように構成されてもよい。或いは、カバー１８は省略されてもよい。
【００６８】
また、図２、図３に示すように、表示部１４の表示画面１４ａは長手方向と短手方向とを有する長方形状であるが、これに限らない。例えば、表示画面１４ａは、正方形であってもよい。
【産業上の利用可能性】
【００６９】
本発明は、空気調和機を遠隔操作するためのリモートコントローラであれば適用可能である。
【符号の説明】
【００７０】
１０  リモートコントローラ
１２  本体
１４  表示部
１４ａ  表示画面
１６  操作部
１６ａ〜１６ｊ  操作ボタン
１８  カバー
２０  前面
２１  第１の傾斜面
２２  第２の傾斜面
３０  支持部
３０ａ、３０ｂ  支持面
５０  本体姿勢検出部
５３  第１の受送信部
５４  第２の受送信部
５５  第３の受送信部
６０  制御部
７０  電池収納部
１００  空気調和機
Ａ  天地方向
Ｓ  無線信号
【図１】
2015055423.tif 000003
【図２】
2015055423.tif 000004
【図３】
2015055423.tif 000005
【図４】
2015055423.tif 000006
【図５】
2015055423.tif 000007
【図６】
2015055423.tif 000008
【図７】
2015055423.tif 000009